(57)【要約】【課題】使用者がベルトを肩に掛けたとき、バッグ本体の背面部が使用者の腰周りに自然にフィットして該バッグ本体を安定的に保持することができるショルダーバッグを提供する。【解決手段】上面部、底面部、正面部、背面部、及び両側面部からなるバッグ本体と、両取付端部及び中間部からなるベルトとを有するショルダーバッグにおいて、バッグ本体の両側面部から側方に突出する一対の板状の突出体を備え、ベルトは、前記両取付端部が前記突出体に取付けられ、突出体は、少なくとも両側面部から突出する基部が撓むように形成され、使用者が前記ベルトを肩に掛けたとき、突出体の裏面が使用者の腰周り近辺に接するようにした。【選択図】図１
0003136313.tif 000002
【実用新案登録請求の範囲】
【請求項１】
上面部、底面部、正面部、背面部、及び両側面部からなるバッグ本体と、両取付端部及び中間部からなるベルトとを有するショルダーバッグにおいて、
前記バッグ本体の両側面部から側方に突出する一対の板状の突出体を備え、
前記ベルトは、前記両取付端部が前記突出体に取付けられ、
前記突出体は、少なくとも前記両側面部から突出する基部が撓むように形成され、使用者が前記ベルトを肩に掛けたとき、前記突出体の裏面が使用者の腰周り近辺に接するようにした、
ことを特徴とするショルダーバッグ。
【請求項２】
前記突出体は、前記バッグ本体の両側面部と背面部とのコーナー部近傍から側方に突出することを特徴とする請求項１に記載のショルダーバッグ。
【請求項３】
上面部、底面部、正面部、背面部、及び両側面部からなるバッグ本体と、両取付端部及び中間部からなるベルトとを有するショルダーバッグにおいて、
前記バッグ本体の背面部に、両端に一対の突出体を形成した板状の腰パッドを備え、
前記腰パッドの突出体は、前記バッグ本体の両側面部から側方に突出し、少なくとも該両側面部から突出する基部が撓むように形成され、
前記ベルトは、前記両取付端部が前記腰パッドの突出体に取付けられ、
前記腰パッドの突出体は、使用者が前記ベルトを肩に掛けたとき、該突出体の裏面が使用者の腰周り近辺に接するようにした、
ことを特徴とするショルダーバッグ。
【請求項４】
前記腰パッドの裏面に、クッション材を有することを特徴とする請求項３に記載のショルダーバッグ。
【請求項５】
前記ベルトは、前記中間部が前記バッグ本体の背面部を含む平面から離れたところに位置するように、前記両取付端部を前記突出体に斜めに取付けたことを特徴とする請求項１〜３のいずれかに記載のショルダーバッグ。
【考案の詳細な説明】
【技術分野】
【０００１】
本考案は、上面部、底面部、正面部、背面部、及び両側面部からなるバッグ本体と、両取付端部及び中間部からなるベルトとを有するショルダーバッグに関する。
【背景技術】
【０００２】
上記構成の従来のショルダーバッグは、プラスチック、レザー、布などの素材をシート状に加工したものから立体的に形成され、例えば、本出願人が提案した下記の登録意匠の形態に示されている（図７参照）。この登録意匠では、図７（１）（２）に示すように、ベルト１０２の両取付端部１２１が夫々バッグ本体１０１の両側面部１１５の中央部に、ベルト１０２をその中間部１２２がバッグ本体１０１の背面部１１４方向に向かって斜めになるように取付けられ、クッション材を備えた腰パッド１０４がバッグ本体１０１の背面部１１４に設けられている。ショルダーバッグのこの形態により、使用者がベルト１０２を肩に掛けたとき、バッグ本体１０１の背面部１１４が使用者の腰周りに接するようにし、使用者の腰周り上でのバッグ本体の位置ずれを生じ難くしている。
【０００３】
しかしながら、上記構成のショルダーバッグでは、バッグ本体１０１自体が立体的に形成され、ベルト１０２の各取付端部１２１がバッグ本体１０１の各側面部１１５に直接取付けられている構造のため、使用者がベルトを肩に掛けたとき、ベルト１０２の各取付端部１２１は使用者の身体（不図示）の中心から遠く離れたところに位置して宙に浮いた状態にある。つまり、バッグ本体１０１の背面部１１４の両端近辺は使用者の身体に接しない状態にある。このため、使用者の身体が動くと、バッグ本体１０１は各端部１２１が取付けられた両側面部１１５が大きく振れて揺動する。そのため、従来のショルダーバッグの場合、背面部に腰パッドを設けたとしても、バッグ本体を使用者の腰周りに安定的に保持させるには限界があった。
【０００４】
【特許文献１】意匠登録第１２８９９８８号公報
【考案の開示】
【考案が解決しようとする課題】
【０００５】
そこで、本考案は、上記構成の従来のショルダーバッグを改良し、使用者がベルトを肩に掛けたとき、バッグ本体の背面部が使用者の腰周りに自然にフィットして該バッグ本体を安定的に保持することができるショルダーバッグを提供することを目的とする。
【課題を解決するための手段】
【０００６】
上記課題を解決するため、請求項１の考案は、上面部、底面部、正面部、背面部、及び両側面部からなるバッグ本体と、両取付端部及び中間部からなるベルトとを有するショルダーバッグにおいて、前記バッグ本体の両側面部から側方に突出する一対の板状の突出体を備え、前記ベルトは、前記両取付端部が前記突出体に取付けられ、前記突出体は、少なくとも前記両側面部から突出する基部が撓むように形成され、使用者が前記ベルトを肩に掛けたとき、前記突出体の裏面が使用者の腰周り近辺に接するようにした、ことを特徴とする。
【０００７】
請求項２の考案は、前記突出体は、前記バッグ本体の両側面部と背面部とのコーナー部近傍から側方に突出することを特徴とする。
【０００８】
請求項３の考案は、上面部、底面部、正面部、背面部、及び両側面部からなるバッグ本体と、両取付端部及び中間部からなるベルトとを有するショルダーバッグにおいて、前記バッグ本体の背面部に、両端に一対の突出体を形成した板状の腰パッドを備え、前記腰パッドの突出体は、前記バッグ本体の両側面部から側方に突出し、少なくとも該両側面部から突出する基部が撓むように形成され、前記ベルトは、前記両取付端部が前記腰パッドの突出体に取付けられ、前記腰パッドの突出体は、使用者が前記ベルトを肩に掛けたとき、該突出体の裏面が使用者の腰周り近辺に接するようにした、ことを特徴とする。
【０００９】
請求項４の考案は、前記腰パッドの裏面に、クッション材を有することを特徴とする。
【００１０】
請求項５の考案は、前記ベルトは、前記中間部が前記バッグ本体の背面部を含む平面から離れたところに位置するように、前記両取付端部を前記突出体に斜めに取付けたことを特徴とする。
【考案の効果】
【００１１】
本考案によれば、バッグ本体の両側面部から側方に突出する一対の板状の突出体を備え、ベルトは、両取付端部が突出体に取付けられ、突出体は、少なくとも両側面部から突出する基部が撓むように形成され、使用者が前記ベルトを肩に掛けたとき、前記突出体の裏面が使用者の腰周り近辺に接するようにしている。このため、使用者がベルトを肩に掛けたとき、各取付端部が取付けられた一対の板状の突出体が使用者の腰周り近辺に身体を挟むように接し、ベルトの両取付端部が使用者の身体の中心により近いところに位置することにより、バッグ本体の背面部が使用者の腰周りに自然にフィットする。そのため、ベルトの各取付端部をバッグ本体自体の各側面部に直接取付けた従来構造のショルダーバッグに比べ、使用者がベルトを肩に掛けたとき、バッグ本体を使用者の腰周り上により安定して保持することができる。
【００１２】
また、従来構造のショルダーバッグでは、使用者がベルトを肩に掛けたとき、ベルトの各取付端部が身体の中心方向に引張られることにより、各取付端部が取付けられた両側面部も随伴して使用者の腰周りに沿って大きく湾曲する。このため、使用者がベルトを肩に掛けたとき、バッグ本体の型崩れが生じる。しかし、上記構成の本考案では、使用者がベルトを肩に掛けたとき、一対の突出体は湾曲して身体を挟むように使用者の腰周り近辺に接するが、バッグ本体の両側面部は使用者の腰周りに沿って僅かに湾曲するだけである。このため、使用者がベルトを肩に掛けたとき、立体的に形成されたバッグ本体自体は大きな型崩が生じるのが防止される。
【００１３】
突出体は、バッグ本体の両側面部と背面部とのコーナー部近傍から側方に突出するので、該コーナー部から離れた両側面部から突出する場合に比して、使用者がベルトを肩に掛けたとき、一対の板状の突出体が使用者の腰周りをより確実に挟んで包み込み、ベルトの両取付端部を使用者の身体の中心により近い所に位置させることができる。
【００１４】
バッグ本体の背面部に、両端に一対の突出体を形成した板状の腰パッドを備え、腰パッドの突出体は、バッグ本体の両側面部から側方に突出し、少なくとも両側面部から突出する基部が撓むように形成され、ベルトは、両取付端部が腰パッドの突出体に取付けられ、腰パッドの突出体は、使用者がベルトを肩に掛けたとき、突出体の裏面が使用者の腰周り近辺に接するようにしている。このため、使用者がベルトを肩に掛けたとき、各取付端部が取付けられた腰パッドの一対の突出体が使用者の腰周り近辺に身体を挟むようにして確実に接し、ベルトの両取付端部が使用者の身体の中心により近いところに位置することにより、腰パッドが使用者の腰周りにより自然にフィットする。また、使用者がベルトを肩に掛けたとき、立体的に形成されたバッグ本体自体は大きな型崩が生じるのがより確実に防止される。
【００１５】
さらに、バッグ本体の両側面部から側方に突出する上記構成の一対の突出体は、板状の腰パッドをバッグ本体の背面部に取付けることにより形成される。このため、上記構成の一対の板状の突出体は、腰パッド自体の背面部への簡単な取付工程によりバッグ本体に設けることができる。
【００１６】
腰パッドの裏面に、クッション材を有するので、使用者がベルトを肩に掛けたとき、バッグ本体の腰周りへの衝撃が緩和されると共に、腰パッドが使用者の腰周りにより自然にフィットすることができる。
【００１７】
ベルトは、中間部がバッグ本体の背面部を含む平面から離れたところに位置するように、両取付端部を突出体に斜めに取付けたので、使用者がベルトを肩に掛けたとき、ベルトの中間部が使用者の肩により自然にフィットすると共に、バッグ本体を使用者の腰周り上に近づけようとする力がバッグ本体に作用する。
【考案を実施するための最良の形態】
【００１８】
次に、本考案のショルダーバッグの最良の形態を図面に基づき説明する。図１は、本考案のショルダーバッグの第１の実施形態の平面図、図２はその左側面図、図３はその背面図を夫々示す。図４は、本考案のショルダーバッグの第２の実施形態の平面図、図５はその左側面図、図６はその背面図を夫々示す。なお、第１、第２の実施形態を通し、同様の構成部分には同一符号を付す。
【００１９】
図１〜図３に示す第１実施形態のショルダーバッグは、バッグ本体１と、ベルト２と、一対の板状の突出体３・３とを有する。バッグ本体１は、プラスチック、レザー、布などの素材をシート状に加工した上面部１１、底面部１２、正面部１３、背面部１４、及び両側面部１５からなる。バッグ本体１は、この６面部１１、１２、１３、１４、１５から立体的に形成され、上面部１１から両側面部１５に渡りスライドファスナー５により開閉自在な線状開口部６が設けられている。ベルト２は、肩掛け部をなす中間部２２と両取付端部２１とからなる。
【００２０】
第１実施形態のショルダーバッグでは、一対の板状の突出体３・３は、プラスチックシート、レザーシート、布シートなど比較的柔軟なシートからなり、図１に示すように、バッグ本体１の両側面部１５から斜め上方に向かって側方に、即ち、翼状に突出するように、両側面部１５の背面部１４とのコーナー部１６に形成されている。
【００２１】
図１、図２に示すように、ベルト２は、各取付端部２１が突出体３の表面３３に、中間部２２がバッグ本体１の背面部１４を含む平面Ｐから離れたところに位置するように、両取付端部２１を斜めにしてミシン縫いにより固定されている。一対の突出体３・３は、ベルト２の中間部２２を肩に掛けたとき、突出体３の基部３１が撓むことにより矢印方向Ａに向けて曲げられ、突出体３の両端部３２が使用者の腰周り近辺に身体を挟むようにして接する。これにより、ベルト２の両取付端部２１は使用者の身体の中心に近いところに位置することとなる。
【００２２】
なお、図２、図３に示すように、突出体３は平面が翼状に形成されているが、この形状に限られるものではなく、突出体３はバッグ本体１の全体の形態のデザインに応じて、三角形、矩形などや種々の形態に変形することができる。
【００２３】
図３に示すバッグ本体１の背面部１４と突出体３の裏面３４には、クッション材を有する腰パッドを備えていないが、背面部１４又は突出体３の裏面３４、或いは両者に、クッション材を有する腰パッドを取付けてもよい。
【００２４】
図４〜図６に示す第２実施形態のショルダーバッグは、バッグ本体１と、ベルト２と、両端に一対の突出体３・３を形成した板状の腰パッド４とを有する。板状の腰パッド４は、プラスチックシート、レザーシート、布シートなど比較的柔軟なシートからなる。腰パッド４は、両端の一対の突出体３・３を除いてバッグ本体１の背面部１４に、ミシン縫い、接着剤などにより固設されている。
【００２５】
第２実施形態のショルダーバッグでは、上記以外の構成、即ち、バッグ本体１及びベルト２の構造は第１実施形態のショルダーバッグの構成と同一である。また、腰パッド４の突出体３は平面が翼状の形状をしているが、この形状に限られるものではなく、突出体３の平面をバッグ本体１の全体の形態のデザインに応じて、三角形、矩形などや種々の形態に変形することができる。
【００２６】
なお、図６に示す腰パッド４の裏面には、クッション材４１を備えているが、腰パッド４の裏面の全部、或いはその一部（例えば、突出体３の裏面）に、クッション材を取付けなくともよい。
【図面の簡単な説明】
【００２７】
【図１】本考案のショルダーバッグの第１実施形態を示す平面図。
【図２】第１実施形態の左側面図。
【図３】第１実施形態の背面図。
【図４】本考案のショルダーバッグの第２実施形態を示す平面図。
【図５】第２実施形態の左側面図。
【図６】第２実施形態の背面図。
【図７】従来のショルダーバッグを示し、（１）はその平面図、（２）はその左側面図。
【符号の説明】
【００２８】
１      …バッグ本体
１１    …１の上面部
１２    …１の底面部
１３    …１の正面部
１４    …１の背面部
１５    …１の側面部
１６    …コーナー部
２      …ベルト
２１    …２の取付端部
２２    …２の中間部
３      …突出体
３１    …３の基部
３２    …３の端部
３３    …３の表面
３４    …３の裏面
４      …腰パッド
４１    …クッション材
Ｐ      …１４を含む平面
【図１】
0003136313.tif 000003
【図２】
0003136313.tif 000004
【図３】
0003136313.tif 000005
【図４】
0003136313.tif 000006
【図５】
0003136313.tif 000007
【図６】
0003136313.tif 000008
【図７】
0003136313.tif 000009